(57)【特許請求の範囲】
【請求項１】
保護ヘルメット（１）であって、第１外側バイザ（２）と、第２バイザ（３）（１０３）と、作動および取り付けのための装置とを備え、
前記第１外側バイザ（２）は、前記保護ヘルメット（１）の視覚用開口部（２００）を邪魔するように、前記保護ヘルメット（１）に回転可能に取り付けられ、
前記第２バイザ（３）（１０３）は、前記第１外側バイザ（２）に対して内側に、また前記保護ヘルメット（１）のキャップ（４）に回転可能に、取り付けられ、
前記作動および取り付けのための装置は、前記第２バイザ（３）（１０３）を作動させ、また前記キャップ（４）に前記第２バイザ（３）（１０３）を取り付けるようになっており、
前記第２バイザ（３）（１０３）は、シールド部（３ａ）（１０３ａ）と、２つの端部（３ｂ）（１０３ｂ）とを備え、前記端部（３ｂ）（１０３ｂ）は、前記シールド部（３ａ）（１０３ａ）の両側にあり、前記第２バイザ（３）（１０３）は、少なくとも部分的に弾性的に変形可能であり、
前記第２バイザ（３）（１０３）は、フォーク（８）（１０８）と、少なくとも１つの外部に突出する歯（９）（１０９）とを備え、前記フォーク（８）（１０８）は、少なくとも１つの側の端部（３ｂ）（１０３ｂ）に位置し、前記突出する歯（９）（１０９）は、一方または他方の側の端部（３ｂ）（１０３ｂ）またはその近傍に位置し、
前記作動および取り付けのための装置は、少なくとも１つのピン（１２）（１１２）と、少なくとも１つの丸いガイド（１１）（１１'）（１１１）とを備え、前記ピン（１２）（１１２）は、直接的または間接的に前記フォーク（８）（１０８）と係合し、前記丸いガイド（１１）（１１'）（１１１）は、その内部に前記第２バイザ（３）（１０３）の前記突出する歯（９）（１０９）が着脱可能でスライドするように連結され、
前記少なくとも１つのピン（１２）（１１２）と、前記少なくとも１つの丸いガイド（１１）（１１'）（１１１）とは、前記キャップ（４）と一体であるか、または一体化されている、保護ヘルメット（１）において、
前記少なくとも１つの外部に突出する歯（９）（１０９）は、前記第２バイザ（３）（１０３）に対して弾性的に動くことができることを特徴とする、保護ヘルメット。
【請求項２】
前記作動および取り付けのための装置は、手動制御部材（２５）（１２５）と、少なくとも１つの運動学的機構（１４，１７）（１１４，１１７）とを備え、前記手動制御部材（２５）（１２５）は、前記ヘルメット（１）のキャップ（４）に動くことができるように拘束され、前記運動学的機構（１４，１７）（１１４，１１７）は、前記手動制御部材から前記第２バイザに動きを伝えることを特徴とする請求項１に記載の保護ヘルメット。
【請求項３】
動きを伝える前記運動学的機構は、機械伝動装置（１４）（１７）（１１４）（１１７）を備え、前記機械伝動装置（１４）（１７）（１１４）（１１７）は、前記手動制御部材（２５）（１２５）と、前記第２バイザ（３）（１０３）とに、前記フォーク（８）（１０８）またはその近傍で接続されていることを特徴とする請求項２に記載の保護ヘルメット。
【請求項４】
前記運動学的機構は、少なくとも１つの連結片（１７）を備え、前記連結片（１７）は、前記第２バイザ（３）と、前記手動制御部材（２５）とに拘束されることを特徴とする請求項３に記載のヘルメット。
【請求項５】
前記運動学的機構は、少なくとも１つのレバー（１１７）を備え、前記レバー（１１７）は、前記第２バイザ（１０３）と、前記手動制御部材（１２５）とに拘束されることを特徴とする請求項３に記載のヘルメット。
【請求項６】
前記手動制御部材は、スライダ（２５）（１２５）であることを特徴とする請求項２〜５のいずれか１項に記載のヘルメット。
【請求項７】
動きを伝達するための前記運動学的機構は、追加レバー（１４）（１１４）を備え、前記追加レバー（１４）（１１４）は、前記少なくとも１つのピン（１２）（１１２）に蝶番止めされ、また前記フォーク（８）（１０８）に着脱可能に接続されていることを特徴とする請求項２〜６のいずれか１項に記載のヘルメット。
【請求項８】
前記第２バイザの前記作動および取り付けのための装置は、前記第２バイザ（３）（１０３）の回転を制限する手段（６，７）（１０６）を備え、前記手段（６，７）（１０６）は、前記第２バイザ（３）（１０３）がヘルメット（１）の視覚用開口部（２００）から外れた行程位置のトップエンドと、ヘルメット（１）の前記視覚用開口部（２００）を邪魔する行程位置の作動ボトムエンドとの間で、前記第２バイザ（３）（１０３）の回転を制限することを特徴とする請求項１〜７のいずれか１項に記載のヘルメット。
【請求項９】
前記第２バイザの回転を制限する前記手段は、少なくとも１つのフック（６）（１０６）と、少なくとも１つのストッパ（７）とを備え、前記フック（６）（１０６）は、前記第２バイザ（３）（１０３）の前記シールド部（３ａ）（１０３ａ）の頂部から突出し、前記ストッパ（７）は、前記フック（６）（１０６）用であり、また前記ヘルメット（１）のキャップ（４）と一体であることを特徴とする請求項８に記載のヘルメット。
【請求項１０】
前記第２バイザ（３）（１０３）の回転を制限する前記手段は、弾性的手段をも備え、前記弾性的手段は、前記スライダ（１２５）に設けられる弾性突起（１３５ａ、１３５ｂ）であり、前記第２バイザ（３）（１０３）を１つ以上の位置に一時的にロックすることを特徴とする請求項８または９に記載のヘルメット。
【請求項１１】
前記第２バイザ（３）（１０３）の前記少なくとも１つの突出する歯（９）（１０９）用の前記少なくとも１つの丸いガイド（１１）（１１'）（１１１）は、前記第２バイザ（３）（１０３）が行程位置の前記作動ボトムエンドに配置されたときに前記少なくとも１つの突出する歯（９）（１０９）が到達する位置を越えて、少なくとも下方に、伸延することを特徴とする請求項８〜１０のいずれか１項に記載のヘルメット。
【請求項１２】
前記少なくとも１つの丸いガイド（１１）（１１１）と、前記第２バイザの前記作動および取り付けのための装置の前記少なくとも１つのピン（１２）（１１２）とは、前記キャップ（４）の内部に、取り付けられ、および／または形成されていることを特徴とする請求項１〜１１のいずれか１項に記載のヘルメット。
【請求項１３】
前記少なくとも１つの丸いガイド（１１）（１１１）は、前記キャップ（４）の内部に設けられた円形の溝を備え、前記溝は、貫通するスロット（２１）と共に供されていることを特徴とする請求項１〜１２のいずれか１項に記載のヘルメット。
【請求項１４】
前記少なくとも１つの丸いガイド（１１）（１１１）は、前記キャップ（４）の内部に設けられた円形の溝を備え、前記溝は、貫通するスロット（２１）と共に供され、
前記スロット（２１）は、前記少なくとも１つの丸いガイド（１１）（１１１）の部分に位置し、前記少なくとも１つの丸いガイド（１１）（１１１）は、前記第２バイザ（３）（１０３）が行程位置の前記作動ボトムエンドに配置されたときに前記少なくとも１つの突出する歯（９）（１０９）が到達する位置を越えて、下方に伸延することを特徴とする請求項１１に記載のヘルメット。
【請求項１５】
前記第２バイザ（３）（１０３）は、２つのフォーク（８）（１０８）と、２つの外部に突出する歯（９）（１０９）とを備え、前記２つのフォーク（８）（１０８）は、両側の端部（３ｂ）（１０３ｂ）に位置し、前記突歯（９）（１０９）は、それぞれの側の端部（３ｂ）（１０３ｂ）またはその近傍に位置し、
前記第２バイザの前記作動および取り付けのための装置は、２つのピン（１２）（１２'）（１１２）と、２つの丸いガイド（１１）（１１'）（１１１）とを備え、前記２つのピン（１２）（１２'）（１１２）は、直接的または間接的に前記フォーク（８）（１０８）と係合し、前記２つの丸いガイド（１１）（１１'）（１１１）は、その内部に前記２つの突出する歯（９）（１０９）が着脱可能でスライドするように連結されることを特徴とする請求項のいずれかに１〜１４のいずれか１項に記載のヘルメット。
【請求項１６】
内側の前記第２バイザ（３）（１０３）は、光を部分的に遮るためのバイザである請求項１〜１５のいずれか１項に記載のヘルメット。
【発明の詳細な説明】
【技術分野】
【０００１】
本発明は、ヘルメットにおける視認用開口部を遮蔽するために、ヘルメットに回転可能に取り付けられた外側バイザと、外側バイザの内側において、ヘルメットのキャップに回転可能に取り付けられ、太陽光を部分的に遮断しうる内側バイザとを具備するタイプの安全ヘルメット、特にモーターサイクリスト用のヘルメットに関する。
【背景技術】
【０００２】
通常は透明で、ヘルメットの視認用開口部を遮蔽するバイザの一部と重なり合い、太陽光を部分的に遮断するための追加のバイザ付きのモーターサイクリスト用保護ヘルメットは、関係業界では公知である。前記追加のバイザは、遮蔽用バイザとは別に機械的に作動し、透明バイザの位置とは別に、使用者が、追加のバイザを使用者の視界に入れたり外したりすることできるように作動させるようになっている。
【０００３】
出願者Ｂａｙｅｒｉｓｃｈｅ  Ｍｏｔｏｒｅｎ  Ｗｅｒｋｅ  Ａｋｔｉｅｎｇｅｓｅｌｌｓｃｈａｆｔ（ＢＭＷ）による特許文献1には、部分的に太陽光を遮るための追加バイザが、透明バイザの内部に、ある程度の自由度をもって、ヘルメットのキャップに取り付けられている同様のモーターサイクリスト用保護ヘルメットが記載されている。前記追加バイザは、キャップの内部で、ヘルメットの視認用開口部を部分的に遮断する位置と、それから外れた位置との間を移動しうるようになっている。その場合、前記追加バイザは、キャップ内に特別に設けられている台座の内部に収納される。
【０００４】
追加バイザは、透明バイザの内側に設けられているため、外的移動体に対する大きな防御になり、また、追加バイザが、使用者によって誤って作動されることを防止する。このように、追加の内側バイザは、外側バイザの空力学的機能を阻害することはなく、かつ前記内側バイザが、太陽光を部分的に遮断するタイプである場合には、内側バイザは、まぶしさを防ぐためにのみ作用し、必ずしも使用者を、他の外的動作因子から保護するようにはなっていない。
【０００５】
出願人Ｏｓｂｅ  Ｓｒｌによる特許文献２は、透明バイザの内側に、太陽光を部分的に遮断する追加バイザを設けた保護ヘルメットを開示している。この文献における追加バイザは、その側部でキャップに蝶番止めされ、内側バイザの一端に対して回転を拘束され、他端には、ヘルメットキャップの外側に位置する手動制御部に対して拘束される連結手段を有する運動力学的作動機構を備えている。
【０００６】
しかし特許文献２は、追加の内側バイザのキャップとの着脱可能な結合部を備えていない。内側バイザの側端は、ヘルメットキャップの視認用開口部の側部の内壁に位置する２本の同軸のピンに拘束されている。
【０００７】
そのため、内側バイザのクリーニング、メンテナンス、または交換の際に内側バイザを取り外したり、取り付けたりする作業が複雑になり、特別なツールを使用したり、ヘルメットにおけるいくつかの部分を取り外す必要がある。
【０００８】
出願人Ｓｃｈｕｂｅｒｔｈ  Ｅｎｇｉｎｅｅｒｉｎｇ  ＡＧ  による特許文献３では、ヘルメットのキャップと一体型になった関連円形ガイド付きのサンバイザの側端部と一体をなす突起または従動子を使用して、前記サンバイザが、ヘルメットの視認用開口部を遮断する透明バイザの内部に拘束されるようにしたモーターサイクリスト用保護ヘルメットが記載されている。
【０００９】
このＳｃｈｕｂｅｒｔｈの出願のサンバイザは、キャップの内部のいかなるピンにも拘束されず、その回転は可能であり、前記円形ガイドにより規制される。
【００１０】
特許文献３で説明されているサンバイザの回転は、サンバイザの一端にスライダを連結するいくつかの連結体を介して、キャップに対する移動を拘束される手動スライダにより制御される。
【００１１】
特許文献３よる解決策では、キャップ内のサンバイザの全体の寸法は小となり、かつ円形ガイドの曲率半径を変更して、所望の通りに位置決めするために、サンバイザを回転させることはできるが、円形ガイドに挿入されているサンバイザの突起物は、サンバイザの作動時にサンバイザが受ける負荷のすべてを支えなければならず、その結果、磨耗および早期の劣化が起こる可能性がある。
【００１２】
さらに、特許文献３のヘルメットの内部でサンバイザを組み立てるには、いかなる種類のセンタリング手段もないので、操作中に、２本の円形ガイドに対するサンバイザの突起がずれると、この内側ヘルメットの一端または他端の取付けが難しくなる。
【００１３】
後に、特許文献３の解決策の見本的な例は、複雑となり、したがって、ヘルメットの信頼性と機能性を阻害する可能性がある。
【特許文献１】イタリア国特許ＩＴ1．１７７．２５０
【特許文献２】欧州特願ＥＰ−Ａ−１  ３９３  ６４２
【特許文献３】ＷＯ  ２００６/０３７２９５
【発明の開示】
【発明が解決しようとする課題】
【００１４】
本発明の主目的は、前述したタイプ、すなわち、外側バイザおよび内側バイザを備え、部分的に光を遮るようになっており、かつ従来技術の欠点を除去した保護ヘルメットを提供することである。
【００１５】
本発明の別の目的は、内側バイザの早期の劣化を防止し、また組み立てが簡単なヘルメットを提供することである。
【００１６】
本発明のさらに別の目的は、２枚の重なり合うバイザを備えるタイプであり、内側バイザが誤って外れるのを防止し、かつ、内側バイザの交換が簡単な保護ヘルメットを提供することである。
【００１７】
本発明のさらに別の目的は、上記のタイプであって、使用者が作動させるのが簡単な内側バイザを備える保護ヘルメットを提供することである。
【課題を解決するための手段】
【００１８】
上記のおよびその他の目的は、請求項１に記載の独立クレーム、およびそれに続く従属クレームに規定されている保護ヘルメットにより達成される。
【００１９】
本発明による保護ヘルメットは、前記ヘルメットの一部に回転可能に取付けられ、ヘルメットの視認用開口部を遮断するための外側バイザと、ヘルメットのキャップ上の前記外側バイザの内部に回転しうるように取付けられる内側バイザと、内側バイザを作動させ、かつ取付けるための装置とを具備している。遮蔽部および遮蔽部の側端部を具備する内側バイザは、少なくとも一部が、弾性的に変形可能である。
【００２０】
前記内側バイザもまた、その一側端にフォークを、その一側端または他側端またはその近傍に、少なくとも１個の外部突起歯とを備えている。したがって、本発明による保護ヘルメットの作動装置および取付け装置は、前記フォークと直接または間接に係合するための少なくとも１個のピンと、その内部において、内側バイザの前記突歯が、滑動して着脱しうるように結合する少なくとも１個の円形ガイドとを具備し、前記ピンおよび円形ガイドは、ヘルメットキャップと一体またはこれに統合されている。
【００２１】
内側バイザの両端は、フォークと外方突起出歯とを具備し、それにより、前述の内側バイザの作動および取付け装置は、キャップの内側壁と一体、またはこれに統合されている２本のピンと２個の円形ガイドとを備えている。
【００２２】
本発明によれば、当業者であれば簡単に理解しうるように、外側バイザと内側バイザを、別々に正確に作動させるだけでなく、追加の内側バイザを、簡単かつ正確に、ヘルメットのキャップに支持することができる。事実、組み立て中の、前述の作動、および取付け装置のピン、または複数のピンと内側バイザの関連するフォークとの係合は、内側バイザの少なくとも一部を弾性的に変形させた後、この装置の対応する円弧状ガイドへ、この内側バイザの歯または複数の歯を容易に正確に挿入しうるようにするための求心手段として作用する。
【００２３】
さらに、フォークをピンに掛けると、内側バイザの作動中に発生するすべての負荷が、その円弧状ガイド内に係合するバイザの歯に集中するのが防止され、内側バイザの前記歯が損傷する危険が減じられる。
【００２４】
要約すると、前述のピンは、内側バイザにおける関連するフォークとの係合により、前記内側バイザの瞬間的な回転の中心を定め、対応する円弧状ガイド内に係合するその歯は、前記題２バイザがヘルメットのキャップから誤って外れるのを防止するべく、ピンを常時フォークに接触させておく
【００２５】
本発明の別の局面によれば、好ましくは、部分的に光を遮断するタイプの追加の内側バイザの作動および取付け装置は、ヘルメットのキャップに移動可能に拘束されるスライダなどの手動制御部と、手動制御部から内側バイザに、またその逆に運動を伝える、少なくとも１個の運動学的機構とを具備している。
【００２６】
本発明の別の好ましい局面によれば、追加バイザの作動および取付け装置は、追加バイザがヘルメットの視認用開口部から外れる移動位置の頂部端と、ヘルメットの視認用開口部を遮断する移動位置の底部作動端との間に、その回転を制限する手段を具備している。追加バイザの回転を制限するこれらの手段は、追加の内側バイザの遮蔽部分の頂部から突き出た少なくとも１個の突片と、この突片のための少なくとも１個のストッパとを具備しており、前述のストッパは、ヘルメットのキャップと一体型である。
【００２７】
前記内側バイザの作動、および取付け装置の円弧状ガイドとは少なくとも部分的に別の内側バイザの回転を制限する手段を備えているため、本発明のヘルメットは、その取付けの簡便性を減じることなく、内側バイザを取り外すときの安全性を増している。
【００２８】
事実、追加の内側バイザは、前述の回転制限手段からこのバイザを離脱させ、作動および取付け装置の関連する円弧状ガイドから、バイザの突歯を開放することにより取り外される。
【００２９】
さらに、前述の内側バイザの回転制限手段が、キャップの内側と一体化したストッパと係合しうるようになっている頂部フックを具備する場合には、バイザの取り外しには、下記の説明で明らかになるように、フックを、関連するストッパから離脱させるために、フックが存在する領域において、内側バイザが弾性的に変形する必要がある。したがって、作動および取付け装置の関連円弧状ガイドから、側面の歯を開放するには、前者とは異なる方向、および異なる態様の弾性変形が行われる。
【００３０】
さらに、本発明のさらなる局面によれば、上記した取り外し操作を容易にするために、円弧状ガイドは、内側バイザがその移動位置の端部に位置するとき、内側バイザの関連する突歯が到達する位置を越えて延びる少なくとも１つの延伸部を有している。
【００３１】
次に、図示の非限定的な本発明の実施形態について説明する。
【００３２】
図１に示す本発明の実施例では、ヘルメット１は、従来どおり、そのキャップ４上に回動可能に取り付けられている、好ましくは透明の外側バイザ２と、好ましくは太陽光を一部遮断するタイプであって、やはりキャップ４に回動可能に取り付けられ、外側バイザの内側に位置していて、ヘルメットを被ったときに、使用者の目により近く位置する内側バイザ３とを備えている。
【００３３】
外側バイザ２および内側バイザ３は、両方とも、少なくともヘルメット１の視認用開口部２００から完全に外れた位置と、視認用開口部２００の全部または一部を覆う位置との間をキャップ４に対して、それぞれ別個に回動可能である。
【００３４】
外側バイザ２は、図１の実施例では、本発明が要求する保護範囲から逸脱することなく、ヘルメット１のキャップ４に対して回動を拘束されるが、この外側バイザ２は、キャップ４に対して跳ね上げることができる顎ガード（図示せず）などのヘルメット１の他の部分に対しても、回動が拘束されている。したがって、この外側バイザ２は、内側バイザ３と同様に、フルフェイスヘルメット、すなわちキャップ４と一体型の顎ガード付きと、ジェットヘルメット、すなわち顎ガードなしと、跳ね上げ顎ガード付きのヘルメットとの区別なしに適用することができる。
【００３５】
図１の実施例において、内側バイザ３およびキャップ４は、内側バイザ３が視認用開口部２００を最大限遮断する位置にない場合には、内側バイザ３による使用者の視界の遮断に応じて、内側バイザ３が、前記キャップ４の下側に設けられた適当な台座５の中に収容されるようになっている。
【００３６】
キャップ４の上または下（したがって、台座５付きまたは台座５なし）の外側バイザ２の下で、前述の外した位置と開口部２００を遮断する位置との間のバイザ３の回動を可能にする他のいかなる方策も、また可能であることは言うまでもない。
【００３７】
図２，図３は、内側バイザ３と、内側バイザ３の作動と、そのキャップ４への取り付けのための装置の両方を、詳細に示している。
【００３８】
当業界で公知のように、図２では、その左半分のみが見える内側バイザ３は、着用者の目および視界を、光およびまたは外的動作因子から保護するようになっている中央遮蔽部３ａと、内側バイザ３をキャップ４に拘束する目的で、中央遮蔽部３ａの側部に位置する２つの側端部３ｂとを具備している。また、前記内側バイザ３は、少なくとも１個の弾性的に変形可能な部分を備えている。好ましい実施例では、前記内側バイザ３は、ポリカーボネートなどの弾性的に変形可能な材料からなっている。
【００３９】
本発明によると、内側バイザ３は、その一側端部３ｂに位置する少なくとも１個のフォーク８と、外側方、すなわち、キャップ４に向かって突出し、内側バイザ３の側端部３ｂに位置する少なくとも１枚の突歯９とを備えている。本明細書で説明する本発明の好ましい実施例では、内側バイザ３は、フォーク８と突歯９の両方を側部３ｂそれぞれに、対称的に備えている。
【００４０】
関連するフォーク８の近傍に位置する、本明細書における実施例の各突歯９は、前記側端部３ｂが延びる面に対して入射方向に、この突歯９を前記側端部３ｂに対して弾性的に変形可能な柔軟な薄プレート部により、側端部３ｂと一体化されている。
【００４１】
最後に、バイザ３の中央遮蔽部３ａの上縁には、頂部突起（フック）６が設けられている。その機能については後述する。
【００４２】
図２の特別な実施例では、この内側バイザ３の作動装置、およびそのヘルメット１のキャップ４への取付け装置は、キャップ４における保持部分２０に拘束されるようになっている。実質的にヘルメット１の視認用開口部２００の側部に位置するピン１２、１２’を備える２枚の取付けプレート１０、１０’と、制御レバー１４と、連結片１７と、前記バイザ３と視認用開口部２００の側部の保持部２０上で、キャップ４の内部に設けられた実質的に円形の延伸部（図３参照）を有する円弧状ガイド１１を作動させるために、垂直方向に移動可能なスライダの形態の手動制御片２５とを具備している。
【００４３】
さらに詳細には、各取付けプレート１０、１０’は、内側バイザ３のフォーク８と、後に述べるように、直接的または間接的に係合するようになっているピン１２、１２’を具備し、キャップ４の各関連する保持部２０は、その内壁に（すなわち、内側バイザ３の近くに）、本発明の実施例では、アークの外周の形の一部見えない溝により構成される円弧状ガイド１１を備えている。
【００４４】
取付けプレート１０のピン１２、１２’に、関連するフォーク８を結合させた後、ガイド１１内部にそれを挿入すると、各突歯９は、自由に回転しうるように、キャップ４の内部の円弧状ガイド１１に係合する。
【００４５】
内側バイザ３をキャップ４に取り付ける際に、フォーク８と関連するピン１２とを漸進的に係合させることにより、前記内側バイザ３の芯出しが簡単になり、したがって、弾性的変形に続いて、内側バイザ３の各突歯９を、関連する円弧状ガイド１１に挿入するステップが簡単になるということに注目しなければならない。
【００４６】
切り欠きとして、キャップ４の内壁に、直接および一体型に形成した特定の円弧状ガイドについて説明してきたが、それに代わって、例えば、プラスチック材でできた異形材により構成するなど、キャップ４とは別に製作し、キャップ４の側壁に一体的に固定した円弧状ガイドを使用することも可能であるということにも留意されたい。
【００４７】
さらに、ここでは図示していないが、本発明の実施例では、フォーク８は、少なくとも１箇所を、弾性変形（その後は戻る）させた後のみ関連するピン１２、１２’と係合するように形成することができる。例えば、フォーク８を、各フォークがピン１２、１２’と係合したり外れたりできるようにするために、わずかに変形しうる変形部または突起部を有するものとすることができる。この構造によると、ショックを受けたとき、内側バイザ３が上記作動および制御装置から誤って外れることがさらに防止される。
【００４８】
本明細書で示すヘルメット１の作動および制御装置の制御レバー１４は、前記取付けプレート１０におけるピン１２と係合するように意図されたブッシングまたは孔２７と、内側バイザ３のフォーク８を収容保持するためのガイドを備える領域１５と、前記連結片１７に設けられたピン１８と係合しうるようになっているスロット１６とを具備している。特に、領域１５は、制御レバー１４と内側バイザ３のフォーク８間の、フォーク８が延びる方向と直交する方向への相対的移動を防止するように形成され（したがって、内側バイザ３の関連する側端部３ｂ）、内側バイザ３の側端部３ｂの関連する突歯９が挿入しうる切欠き３１を有する。したがって、この切欠き３１により、突歯９は、キャップ４の保持部２０の内部に位置する円弧状ガイド１１に到達することができる。
【００４９】
内側バイザ３の一側端部３ｂは、制御レバー１４により、ピン１２に間接的に拘束されるが、関連するフォーク８は、孔（ブッシング）２７に係合し、ピン１２に拘束される。内側バイザ３の他側端は、通常はいかなる手動制御部材にも連結されていないので、ピン１２’に直接拘束されるのが好ましいということに注目されたい。内側バイザ３は、対称形、すなわち同じ寸法の２個のフォーク８を有するのが好ましいので、前述の解決策は、取付けプレート１０、１０’のピン１２、１２’は、互いに直径が違うのが好ましいということを示唆している。
【００５０】
内側バイザ３のフォーク８とともに拘束される取付けプレート１０のピン１２を中心とする制御レバー１４の回動は、それに対応するピン１２、１２’を中心とする内側バイザ３の回転を定め、したがって、キャップ４の保持部２０の関連する円弧状ガイド１１の内部の突歯９の滑りが決定される。
【００５１】
また、連結片１７は、ピン１８と対向する端部に、別のピン２６を受け入れるための孔１９を有し、ピン２６は、前記孔１９とスナップ係合するための弾性ヘッドを有し、手動制御片（スライダ）２５と一体型である。このように、手動制御片２５の移動により、それに応じた連結片１７の移動、および取付けプレート１０のピン１２を中心とする制御レバー１４の回転が行われる。
【００５２】
また手動制御片（スライダ）２５は、線状ガイド２４（必ずしも直線てきでなくてもよい）内で滑るように拘束され、線状ガイド２４は、キャップ４の保持部２０の貫通孔３４において、キャップ４の外側に固定されている。ピン２６は、前記したように、連結片１７の孔１９と係合するために、線状ガイド２４上に設けられた特定の穴と、保持部２０の貫通孔３４とを貫通している。
【００５３】
キャップ４の保持部２０は、取付けプレート１０と制御レバー１４を、この保持部２０に拘束するために、跡で詳細に説明するように、円弧状ガイド１１の底部領域に位置する貫通スロット２１からなるウインドウと、いくつかの貫通孔および/または溝とを具備している。ヘルメット１の視認用開口部２００と対向する側で、前記キャップ４の内部に設けられた円弧状ガイドの底部領域のキャップ４内には、類似の貫通スロット（ウインドウ）が、対称的に位置している。
【００５４】
前述し、かつ、図１に示すように、内側バイザ３は、視認用開口部２００の頂端部において、キャップ４の内側に突起し、かつ前記キャップ４と一体型になっているストッパ７と係合するようになっている頂部突起６を具備している。内側バイザ３の中央遮蔽部３ａの頂部から突出する頂部突起６と、キャップ４のストッパ７と、前記内側バイザ３用の台座５の頂端壁（あるいは、円弧状ガイド１１の頂端部、または取付けプレート１０の頂端部３２に対する制御レバー１４のあり得る係合）は、内側バイザ３がヘルメット１の視認用開口部２００と係合しないハウジング５の頂端部壁によって決まる（あるいは、円形ガイドの頂端部、または取付けプレート１０の頂端部３２によって決まる）移動位置の頂端と、頂部突起６がストッパ７と係合し、内側バイザ３がヘルメットの視認用開口部２００を遮断する移動位置の底部作動端との間で、内側バイザ３のキャップ４に対する回転を制限する手段を構成している。
【００５５】
内側バイザ３を、少なくとも上昇した位置に維持するために、線状ガイド２４または取付けプレート１０は、使用者の動作によってのみ、対応する突起から開放されるように、手動制御片（スライダ）２５の内壁（すなわち、線状ガイド２４と向き合っている）上、または制御レバー１４の内壁上に設けられ、かつ弾性変形可能な対向する突起と結合する弾性変形可能突起を有している。
【００５６】
内側バイザ３の位置の一時的弾性固定、すなわち“スナップ固定”を形成するこれらの突起、およびそれに対応する突起は、少なくとも内側バイザ３の全開状態と、頂部突起（フック）６がストッパ７と結合している内側バイザ３の作動上の閉状態（すなわち、内側バイザ３が下げられているが、移動の終端には至っていない）に対応する少なくともこれらの制御レバー１４の角度位置を画定し、弾性的に固定するように構築され、かつ配置されている。
【００５７】
図２に示す特定の実施例では、内側バイザ３の少なくとも下方向への回転は、前記回転制限手段６，７によってのみ制限され、円弧状ガイド１１の延伸部に委は依存していない。したがって、内側バイザ３の関連する突歯９と円弧状ガイド１１が係合するということにも注目しなければならない。事実、この円弧状ガイド１１は、少なくともその一部が、内側バイザ３が頂部突起６とストッパ７の係合により決まる前述の内側バイザ３の移動位置の底部作動端にいるときに、突歯９が到達する位置を越えて下側に延びるような寸法にする。頂部突起６が一度ストッパ７から外れると、円弧状ガイド１１が下側へ延伸しているため、内側バイザ３は、キャップ４に対して過移動できる。
【００５８】
本明細書で説明する特定の実施例では、使用者がキャップ４の外側から、円弧状ガイド１１の前記延伸部に届くことができるように、キャップ４の保持部２０の前記貫通スロット２１は、円弧状ガイド１１の少なくとも１本の前記下方向への延伸部に配設されている。本明細書で説明する実施例では、図示していないが、類似のウインドウが、キャップ４の円弧状ガイド１１と対向している関連する内部の円形ガイドの延伸部に配設されるように、貫通スロット（ウインドウ）２１と反対側のキャップ４に設けられているということに注目しなければならない。
【００５９】
既に一部説明したように、手動制御片２５（または制御レバー１４）の弾性突起が、線状ガイド２４（または取付けプレート１０）の対応する突起から外れた後は、使用者が内側バイザ３を作動させると、線状ガイド２４に対する手動制御片２５のさらなる垂直移動が起こり、その結果、制御レバー１４の細長のスロット１６内に、ピン１８を介して係合され、取付けプレート１０のピン１２を中心とする制御レバー１４の回転を決める連結片１７は、実質的に垂直に移動し、それに伴い、内側バイザ３は回転する。
【００６０】
したがって、図１〜図３を参照して、本明細書で説明するヘルメット１の特定の実施例では、内側バイザ３をキャップ４に取り付けることにより、内側バイザ３の作動および取付け装置の右側の取付けプレート１０’は、例えばネジや関連ナット（図示せず）を使用して、内部的にキャップ４の右側と一体化し、それに対応する左側の取付けプレート１０は、運動学的機構１４、１７を事前に組み立てた後、例えばネジ２３とナット２２を使用して、キャップ４の保持部２０に取り付ける。
【００６１】
特に、運動学的機構は、制御レバー１４の孔２７を取付けプレート１０のピン１２と共軸的に結合し、次に、連結片１７のピン１８を、制御レバー１４のスロット１６に拘束することにより組み立てる。ネジ２３は、キャップ４の外側から、キャップ４の保持部２０の特定の孔３３と、レバー１４の孔２７に挿入し、同時に、取付けプレート１０のピン１２に開けたもう一つの適当な孔にも挿入し、関連するナット２２に拘束される。このようにして、取付けプレート１０、レバー１４、連結片１７よりなる構成体を、キャップ４の保持部２０の内部に固定する。
【００６２】
引き続き行うキャップ４の保持部２０への（この保持部２０に設けられた特定のくぼみに）線状ガイド２４の取り付けと、ガイド２４内への手動制御片（スライダ）２５の取り付け、および同時に行う連結片１７の孔１９の内部へのピン２６の固定により、ここで説明する本発明の特定の実施例の内側バイザ３のための作動および取付け装置の組み立てが完成する。
【００６３】
さらに内側バイザ３を、前記作動および取付け装置の内部に取り付けるには、制御レバー１４がその底部過移動位置にいるときにのみ、内側バイザ３の側端部３ｂを、それぞれ、取付けプレート１０’、および制御レバー１４の結合領域１５に挿入する。取付けプレート１０’のピン１２’に直接係合し、孔２７を用いて、取付けプレート１０のピン１２に間接的に係合するフック８は、内側バイザ３の心出しを容易にする。
【００６４】
内側バイザ３の側端部３ｂのこの取り付けは、キャップ４の下側の台座５の内部で頂部突起６が係合する前に行われ、したがって、内側バイザ３の前記移動位置の底部作動端より低い位置（すなわち、前述の過移動位置）で行われるということに注目する必要がある。
【００６５】
この取付け位置では、内側バイザ３の突歯９は、このようにして、前記円形ガイド１１の下方向への延伸部で、円弧状ガイド１１に到達する。このポイントで、突歯９は、内側バイザ３の側端部３ｂに対して、わずかに内側に弾性変形するため、キャップ４の関連する保持部２０の内側の対応する円弧状ガイド１１に、突歯９を挿入することができる。また、この挿入も、円弧状ガイド１１の延伸部分（過移動）で行われ、したがって、キャップ４の保持部２０の前記スロット２１で行われるということに注目されたい。
【００６６】
図示していないが、既に述べたように、また、前記スロット２１と対称的な反対側に作製したキャップ４内の類似のウインドウが、円形ガイド１１と対向する円形ガイドの延伸部にも存在する。
【００６７】
内側バイザ３のキャップ４への取付けは、内側バイザ３の上方向への回転、すなわち、ヘルメット１の視認用開口部２００の頂端部に向かう回転と、内側バイザ３を、ストッパ７を越えて移動させるのに適するフック、すなわち頂部突起６のわずかな弾性変形により完成する。
【００６８】
必要に応じて、例えばバイザを交換しなければならない場合には、内側バイザ３の取り外しは、取付けで行ったのと同じ操作を、逆の順序で行うことにより実行される。特に、内側バイザ３は、その移動位置の底部作動端を取らなければならず、そこでは、内側バイザ３の頂部突起６は、キャップ４のストッパ７と係合し、その弾性変形により、頂部突起６は、ストッパ７から開放される。
【００６９】
このとき、円弧状ガイド１１の下方向延伸部（過移動）により、内側バイザ３をさらに下方に回転させ、円弧状ガイド１１により決まる移動位置の最底部端に達することができる。この位置で、そこを通じて使用者が突歯９に届くことができるキャップ４の貫通スロット２１により、追加バイザの突歯９は、内側に弾性変形することができ、局部的圧力が働き、その後、前記歯を関連する円弧状ガイド１１から開放することができる。突歯９の変形により、制御レバー１４の切欠き３１、およびプレート１０’における類似の切欠きにより、可能になりかつ容易になる。
【００７０】
ピン１２、１２’および制御レバー１４から外した内側バイザ３を引き出すことにより、内側バイザ３をヘルメット１から外すことができる。
【００７１】
ここで、説明した実施例では、外側バイザ２および内側バイザ３は、外側バイザ２が閉じられている場合には、上述したような、すなわち内側バイザ３をストッパ７から外し、内側バイザ３がキャップ４の内部の円弧状ガイド１１の過移動領域にあり、突歯９が前記ガイド１１からも外れているときには、前記内側バイザ３が、外側バイザ２の内面に衝突して、内側バイザ３の取り外しができない構造および構成になっていることに注目されたい。これは、前記内側バイザ３が誤って外れる事に対するさらなる安全対策となっている。
【００７２】
図４、図５、図６ａ、図６ｂ、図６ｃ、図７は、本発明の別の実施例におけるヘルメット１の内側バイザ１０３の作動および取付け装置を示す。
【００７３】
図２の実施例と同様に、この実施例（左側のみ見える）では、内側バイザ１０３、好ましくはサンバイザは、中央遮蔽部１０３ａと、その頂部のフック１０６と、中央遮断部１０３ａの側部の２つの側端部１０３ｂとを具備し、側端部１０３ｂは、それぞれフォーク１０８と横方向に突き出た突歯１０９とを有する。フック１０６に隣接する部分、および内側バイザ１０３の各突歯１０９を支えるプレート状部分は、共に弾性的に変形可能である。
【００７４】
図２の実施例と同様に、この内側バイザ１０３の作動および取付け装置は、内側バイザ１０３の各側部のために、内側バイザ１０３の側端部１０３ｂのフォーク１０８が直接的または間接的に係合するピン１１２を有する取付けプレート１１０と、キャップ４の保持部２０の内面に作製され、貫通スロット１２１を備える円形溝の形態の円形ガイド１１１とを具備している。前記プレート１１０におけるこの溝からなるガイド１１１には、内側バイザ１０３の側端部１０３ｂに設けた突歯１０９が係合できるようになっている。
【００７５】
また、図２に示すものと同様に、作動および取付け装置は、取付けプレート１１０のピン１１２と係合するための孔１２７を備える内側バイザ１０３の制御レバー１１４と、フォーク１０８の２枚のアームが伸びる方向と少なくとも直角の方向にバイザ１０３の側端部１０３ｂを保持するようになっている結合領域１１５とを具備している。結合領域１１５には、内側バイザ１０３の突歯１０９と保合させる目的で、切欠き１３１が設けられている。
【００７６】
図２に関連して説明した前記内側バイザ１０３の組み立て、および分解ができるようにするために、既述の通りキャップ４が、前記延伸部に貫通スロット１２１（ウインドウ）を有するのと同じように、ここで説明する実施例の円形ガイド１１１は、内側バイザ１０３が到達する移動位置の底部作動端（キャップ４の関連するストッパ７と係合するフック１０６により画定される）を越える延伸部（過移動）を有する。
【００７７】
しかし、図２の実施例とは異なり、この実施例で説明する装置は、２個の末端スロット１１８と、１１９と、取付けプレート１１０が備えているピン１２８に係合するのに適した中央孔１２９とを備えるロッキングレバー１１７を具備している。また、このプレートは、内側バイザ１０３の作動中に、制御レバー１１４の回転をガイドするための窪み１３０を有する。
【００７８】
ロッキングレバー１１７における細長い末端スロット１１８、１１９は、制御レバー１１４の突起１１６から突き出るピン（図示せず）、および制御片（スライダ）１２５の内側に突き出るピン１２６とそれぞれ係合する。
【００７９】
制御片１２５は、前に述べたように、実質的に水平に伸び、キャップ４の外側に固定されているガイド１２４の内側に、滑りうるように取り付けられている。
【００８０】
移動可能なスライダを、使用者が内側バイザ３または１０３を作動するための手動制御部材として説明してきたが、請求項の保護の範囲から逸脱することなく、ラックに拘束された歯付きホイールなどの任意の他の制御部材を、使用できることは言うまでもない。
【００８１】
最後に、図１〜図３の実施例と同様に、内側バイザ１０３の中央の遮蔽部の頂部から突き出ている突起１０６は、キャップ４と一体になったストッパ７、および突歯１０９のための円形ガイド１１１の頂端（または制御レバー１１４のための取付けプレート１１０の頂部）のような内側バイザ１０３用に考えられる直接または間接の頂部ストッパとともに、キャップ４に対して、内側バイザ１０３の回転を制限する適当な手段を画定している。
【００８２】
図１〜図３で示される実施例を類推して図７に見られるように、この場合、内側バイザ１０３を位置に一時的に弾性的にロックするシステムは、弾性突起１３５ａ、１３５ｂと、対応する突起１３６ａ、１３６ｂとを備えており、弾性突起１３５ａ、１３５ｂは制御部材（スライダ）１２５と、対応する突起１３６ａ、１３６ｂは線状ガイド１２４と、それぞれ一体であるか、または一体化されている。内側バイザ１０３を位置に一時的に弾性的にロックするシステムは、内側バイザ１０３が、前記内側バイザ１０３の行程位置の少なくともトップエンドとボトムエンドとにおいて、キャップ４に対して安定した位置に保持されるようにする。
【００８３】
代替的に、または上記解決策に加えて、図８では、内側バイザ１０３を位置に一時的に弾性的にロックする前記システムは、複数の一時的収納台座を備えることができ、複数の一時的収納台座は、取付けプレート１１０に設けられたガイド１３０の内側に作製され、また弾性変形可能な端部突起を有し、弾性変形可能な端部突起は、前記ガイド１３０の内側でスライドし、かつ制御レバー１１４と一体である要素のためのものである。これらの台座は、一時的ではあるが、レバー１１４にプレート１１０に対して安定した位置を定め、従って内側バイザ１０３にヘルメットのキャップ４に対して安定した位置を定める。
【００８４】
さらに、内側バイザ１０３の位置を一時弾性固定するシステムでは、制御レバー１１４のピン（図示せず）が滑るガイド(窪み)１３０は、制御レバー１１４の前記ピンを一時的に保持するように形成された拡大部１４１ａと、１４１ｂと、１４１ｃとを有する。この窪み１３０の頂部および底部の外壁は、その上下にある貫通孔１４０ａ、１４０ｂにより、弾性的に変形可能になっている。これらの孔１４ａ、１４０ｂの目的は、窪み（ガイド）１３０の頂部および底部の側壁の厚さを減らして、弾性的変形を可能にすることにある。
【００８５】
したがって、レバー１１４のピンは、一時的に前記拡大部１４１ａ、１４１ｂ、１４１ｃ内に固定し、実質的にこれらの拡大部１４１ａ、１４１ｂ、１４１ｃの末端と係合するように形作られている。拡大部１４１ａ、１４１ｂ、１４１ｃの前記末端を弾性的に変形させるために、レバー１１４のピンに十分な力を加えることにより、図８に示す実施例では、レバー１１４は、内側バイザ１０３の移動の頂部末端、移動の底部作動端、および底部過移動位置の末端に対応する前記拡大部１４１ａ、１４１ｂ、１４１ｃにより画定される一時的固定位置を離れることができる。
【００８６】
この実施例における内側バイザ３または１０３の回転を制限する手段とは別の手段を、円弧状ガイド１１または１１１から少なくとも部分的に離れている場合でも、本特許の請求項の保護の範囲を逸脱することなく採用することができる。
【００８７】
図２を参照して説明した操作において、当業者にとっては、図３に示す実施例の取付けに必要な操作を確認するのはむずかしくないと思う。
【００８８】
内側バイザ１０３の完全に上昇した位置（すなわち、内側バイザ１０３の移動の上部終端）と、ヘルメット１の視認用開口部２００の最大遮断位置（すなわち、内側バイザ１０３の移動の底部作動端）と、最大下方回転位置（円形ガイド１１１の延伸部における過移動に相当する）とをそれぞれ示す図６ａから６ｃを参照すると、ここで説明するバイザ１０３は、使用者が制御片１２５を、ガイド１２４に対して水平方向に移動させることにより作動し、前記移動は、取付けプレート１１０のピン１２８を中心とするロッキングレバー１１７の回転と、それに伴うピン１１２を中心とする制御レバー１１４の回転を定める。
【００８９】
最終的に、ピン１１２を中心とする制御レバー１１４のこの回転は、キャップ４に対する内側バイザ１０３の回転を定める。
【図面の簡単な説明】
【００９０】
【図１】本発明の一態様におけるヘルメットの一部縦断側面図である。
【図２】本発明の実施例におけるヘルメットの追加の内側バイザと、この内側バイザの作動および取付け装置の部分分解図である。
【図３】前記追加の内側バイザの一端に位置する、図２のヘルメットのキャップの内面の一部を示す正面図である。
【図４】本発明のさらなる実施例におけるヘルメットの追加の内側バイザ、および関連する作動および取付け装置の一部分解図である。
【図５】図４に示すヘルメットのキャップの内面の一部の正面図である。
【図６ａ】使用者が作動させている際において、図３に示す異なる位置にある前記追加のバイザ、およびそれに関連する作動および取付け装置を、ヘルメット内部から見た側面図である。
【図６ｂ】使用者が作動させている際において、図３に示す異なる位置にある前記追加のバイザ、およびそれに関連する作動および取付け装置を、ヘルメット内部から見た側面図である。
【図６ｃ】使用者が作動させている際において、図３に示す異なる位置にある前記追加のバイザ、およびそれに関連する作動および取付け装置を、ヘルメット内部から見た側面図である。
【図７】ヘルメットの内側バイザを制御するための図４、図５、図６ａ〜図６ｃに示すスライダの一部断面側面図である。
【図８】図４に示すヘルメットの一部変更した支持プレートの正面図である。
【符号の説明】
【００９１】
１  ヘルメット
２  外側バイザ
３  内側バイザ
３ａ  中央遮蔽部
３ｂ  側端部
４  キャップ
５  台座
６  頂部突起
７  ストッパ
８  フォーク
９  突歯
１０、１０’  取付けプレート
１１、１１’  円弧状ガイド
１２、１２’  ピン
１３  ガイド
１４  制御レバー
１５  結合領域
１６  スロット
１７  連結片
１８  ピン
１９  孔
２０  保持部
２１  貫通スロット
２２  ナット
２３  ネジ
２４  線状ガイド
２５  手動制御片
２６  ピン
２７  孔
３１  切欠き
３２  頂端部
３３  孔
３４  貫通孔
１０３  内側バイザ
１０３ａ  中央遮断部
１０３ｂ  側端部
１０６  突起
１０８  フォーク
１０９  突歯
１１０  取付けプレート
１１１  円形ガイド
１１２  ピン
１１４  制御レバー
１１５  結合領域
１１６  突起
１１７  ロッキングレバー
１１８、１１９  末端スロット
１２０  保持部
１２１  貫通スロット
１２４  ガイド
１２５  制御片
１２６  ピン
１２７  孔
１２８  ピン
１２９  中央孔
１３０  窪み
１３１  切欠
１３３  孔
１３４  貫通孔
１３５ａ、１３５ｂ  弾性突起
１３６ａ、１３６ｂ  突起
１４０ａ、１４０ｂ  貫通孔
１４１ａ、１４１ｂ、１４１ｃ  拡大部
２００  視認用開口部
【図１】
0005149110.tif 000002
【図２】
0005149110.tif 000003
【図３】
0005149110.tif 000004
【図４】
0005149110.tif 000005
【図５】
0005149110.tif 000006
【図６ａ】
0005149110.tif 000007
【図６ｂ】
0005149110.tif 000008
【図６ｃ】
0005149110.tif 000009
【図７】
0005149110.tif 000010
【図８】
0005149110.tif 000011